(57)【要約】【課題】ＬＥＤからの光が導光体と導光体との間の隙間から漏れることを抑制することができる光源モジュールを提供する。【解決手段】光源モジュール１は、長手方向に対して並列にそれぞれ隙間を有して設けられた複数の導光体３と、導光体３における長手方向の少なくとも一方の端面８から光をそれぞれ入射させる複数のＬＥＤ４とを備えた光源モジュールであって、導光体３における長手方向に直交する断面の側端部７は、断面の中央部９よりも薄く形成されており、ＬＥＤ４からの光が複数の導光体３の間に漏れることを抑制する遮光部材２を、複数の導光体３の間に設けた。【選択図】図４
2011082036.tif 000002
【特許請求の範囲】
【請求項１】
長手方向に対して並列にそれぞれ隙間を有して設けられた複数の導光体と、
上記導光体における長手方向の少なくとも一方の端面から光をそれぞれ入射させる複数の光源とを備えた光源モジュールであって、
上記導光体における長手方向に直交する断面の少なくとも一方の側端部は、上記断面の他の側端部又は中央部よりも薄く形成されており、
上記光源からの光が上記複数の導光体の間に漏れることを抑制する遮光部材を、上記複数の導光体の間に設けたことを特徴とする光源モジュール。
【請求項２】
上記複数の導光体の両端を覆う前キャビネットをさらに備え、
上記遮光部材の一端は、上記光源に対応する位置に配置され、
上記遮光部材の他端は、上記導光体の端面と上記前キャビネットの端面との間に配置される請求項１記載の光源モジュール。
【請求項３】
上記遮光部材は、互いに隣接する導光体の対向する側端部の上に配置される請求項１記載の光源モジュール。
【請求項４】
上記遮光部材は、上記複数の導光体を跨ぐ基部と、上記基部から突出して上記複数の導光体の間に嵌まり込む凸部とを有している請求項１記載の光源モジュール。
【請求項５】
請求項１〜４のいずれか１項に記載の光源モジュールを備えていることを特徴とする電子機器。
【発明の詳細な説明】
【技術分野】
【０００１】
本発明は、長手方向に対して並列にそれぞれ隙間を有して設けられた複数の導光体と、これらの導光体における長手方向の少なくとも一方の端面から光をそれぞれ入射させる複数の光源とを備えた光源モジュール、及びそれを備えた電子機器に関するものである。
【背景技術】
【０００２】
特許文献１には、照明装置により光が照射される液晶パネルを備えた液晶表示装置が開示されている。この照明装置は、一列に配列された複数のブロック（導光体）からなる導光板と、複数のブロックごとに設けられ、これらのブロックに対して光を照射する複数の光源とを有している。これらのブロック（導光体）間の隙間は、導光体の熱膨張及び製造公差を考慮すると、１ｍｍ〜２ｍｍ程度必要である。
【先行技術文献】
【特許文献】
【０００３】
【特許文献１】特開2008−34372号公報（2008年02月14日公開）
【発明の概要】
【発明が解決しようとする課題】
【０００４】
しかしながら、導光体と導光体との間の隙間ムラを解消するため、厚く形成された中央部と薄く形成された側端部とからなっているＴ型導光体を採用した場合に、通常のエッジライト型導光体を用いるようなリフレクタ構造にすると、ＬＥＤ光入射付近で導光体と導光体との間の隙間に光が漏れて、画面の端が明るくなり、輝度ムラが発生するという問題がある。
【０００５】
本発明の目的は、ＬＥＤからの光が導光体と導光体との間の隙間に漏れることを抑制することができる光源モジュール、及びそれを備えた電子機器を提供することにある。
【課題を解決するための手段】
【０００６】
本発明に係る光源モジュールは、長手方向に対して並列にそれぞれ隙間を有して設けられた複数の導光体と、上記導光体における長手方向の少なくとも一方の端面から光をそれぞれ入射させる複数の光源とを備えた光源モジュールであって、上記導光体における長手方向に直交する断面の少なくとも一方の側端部は、上記断面の他の側端部又は中央部よりも薄く形成されており、上記光源からの光が上記複数の導光体の間に漏れることを抑制する遮光部材を、上記複数の導光体の間に設けたことを特徴とする。
【０００７】
この特徴により、光源から出射された光は、複数の導光体の間に設けられた遮光部材によって遮られる。その結果、ＬＥＤからの光が導光体と導光体との間の隙間に漏れることを抑制することができる。
【０００８】
本発明に係る光源モジュールでは、上記複数の導光体の両端を覆う前キャビネットをさらに備え、上記遮光部材の一端は、上記光源に対応する位置に配置され、上記遮光部材の他端は、上記導光体の端面と上記前キャビネットの端面との間に配置されることが好ましい。
【０００９】
上記構成により、遮光部材の他端は前キャビネットの端面よりも内側に配置されるため、液晶表示装置の正面から見て、遮光部材は前キャビネットに遮られて外観が見えないので、液晶表示装置の美観を損ねることがない。また、遮光部材の一端は導光体の端面よりも、ＬＥＤに近い位置に配置されるので、ＬＥＤからの光の導光体と導光体との間の隙間からの漏れを良好に抑制することができる。
【００１０】
本発明に係る光源モジュールでは、上記遮光部材は、互いに隣接する導光体の対向する側端部の上に配置されることが好ましい。
【００１１】
上記構成により、側端部の上側の空間を通る光の漏れを有効に抑制することができる。
【００１２】
本発明に係る光源モジュールでは、上記遮光部材は、上記複数の導光体を跨ぐ基部と、上記基部から突出して上記複数の導光体の間に嵌まり込む凸部とを有していることが好ましい。
【００１３】
上記構成により、遮光部材の組み立て効率が向上する。
【００１４】
本発明の電子機器は、上記課題を解決するために、前記いずれかにの光源モジュールを備えていることを特徴としている。
【００１５】
上記構成により、ＬＥＤからの光が導光体と導光体との間の隙間に漏れることを抑制することができる光源モジュールを備えた電子機器を提供することができる。
【発明の効果】
【００１６】
本発明に係る光源モジュールは、上記光源からの光が上記複数の導光体の間に漏れることを抑制する遮光部材を、上記複数の導光体の間に設けた構成である。また、本発明に係る電子機器は、以上のように、上記記載の光源モジュールを備えている。それゆえ、ＬＥＤからの光が導光体と導光体との間の隙間に漏れることを抑制することができる光源モジュール、及びそれを備えた電子機器を提供するという効果を奏する。
【図面の簡単な説明】
【００１７】
【図１】本実施の形態に係る液晶表示装置の外観を示す正面図である。
【図２】上記液晶表示装置の構成を示す分解斜視図である。
【図３】上記液晶表示装置に設けられた導光板の構成を模式的に示す模式平面図である。
【図４】上記導光板に設けられた遮光部材を示す斜視図である。
【図５】上記導光板に設けられた遮光部材の構成を示すＸ軸方向に沿った断面図である。
【図６】上記導光板に設けられた遮光部材の構成を示すＹ軸方向に沿った断面図である。
【図７】上記導光板に設けられた他の遮光部材の構成を示すＹ軸方向に沿った断面図である。
【図８】上記他の遮光部材の組み立て方法を示す斜視図である。
【図９】上記他の遮光部材の組み立て後の状態を示す斜視図である。
【発明を実施するための形態】
【００１８】
図１は本実施の形態に係る液晶表示装置（電子機器）１５の外観を示す正面図であり、図２は液晶表示装置１５の構成を示す分解斜視図である。液晶表示装置１５は、図２に示すように、下から順に、シャーシ１６、光源モジュール１、液晶パネル１７、およびベゼル１８を備えている。光源モジュール１は、反射板としての反射シート１９、光源としてのＬＥＤ（Light Emitting Diode：発光ダイオード）４、ＬＥＤ基板２０、リフレクタ２１、導光板２７、拡散板２２、および光学シート群２３を有している。
【００１９】
図３は、液晶表示装置１５に設けられた導光板２７の構成を模式的に示す模式平面図である。ところで、液晶表示装置１５においては、ＣＲＴ（Cathode-Ray Tube：陰極線管）表示装置と比較して、動画のボヤケという問題点がある。すなわち、ＣＲＴ表示装置においては、あるフレームにおける画素の発光期間と、次のフレームにおけるこの画素の発光期間との間に、この画素が発光しない非発光期間があるため、残像感が少ない。これに対して、液晶表示装置１５の表示方式はこのような非発光期間がない「ホールド型」であるため、残像感が生じ、この残像感が使用者に動画のボヤケとして認識される。
【００２０】
そこで、バックライト型の液晶表示装置１５においては、バックライトである光源モジュール１を分割し、液晶パネル１７に映像信号を印加するタイミングに同期して順次消灯することにより、画像表示と画像表示との間に黒表示を挿入する技術であるバックライトブリンキングが提案されている。これにより、疑似インパルス型の表示を実現し、残像感を抑えることができる。
【００２１】
本実施の形態の光源モジュール１は、このバックライトブリンキングを行うために、図３に示すように、導光板２７を複数の導光体３…にて分割して構成し、これら複数の導光体３…を、長手方向に対して並列にそれぞれ隙間２８を有して配設している。上記隙間２８は、導光体３の熱膨張及び製造公差を考慮すると、例えば１ｍｍ〜２ｍｍ程度が必要である。
【００２２】
図４は導光体３に設けられた遮光部材２を示す斜視図であり、図５は導光体３に設けられた遮光部材２の構成を示すＸ軸方向に沿った断面図であり、図６は導光体３に設けられた遮光部材２の構成を示すＹ軸方向に沿った断面図である。
【００２３】
複数の導光体３は、放熱板２４の上に搭載された反射シート１９の上に設けられている。導光体３の端面８は、略凸字形状をしており、略長方形状の中央部９と、中央部９の両脇に形成されて中央部９よりも薄く形成された側端部７とを有している。このように、導光体３の端面８を略凸字形状に構成すると、中央部の両脇に形成された側端部７を、導光体３を固定するために利用することができる。
【００２４】
各導光体３の端面８に対向する位置には、ＬＥＤ基板２０が放熱板２４に取り付けられている。各放熱板２４の各導光体３の端面８に対向する位置には、複数個のＬＥＤ４が、ＬＥＤ基板２０の長手方向に沿って所定の間隔を空けてＬＥＤ基板２０に取り付けられている。ＬＥＤ４から出射された光は、端面８を通って導光体３に入射し、導光体３から拡散板２２および光学シート群２３を通って液晶パネル１７に照射される。
【００２５】
隣接する導光体３の間には、ＬＥＤ４からの光が、隣り合う導光体３の間に漏れることを抑制する遮光部材２が設けられている。遮光部材２は、隣接する導光体３の対向する側端部７の上に載置されている。遮光部材２は、図４に示すように、略直方体形状をしていてもよいし、図６に示すように、断面凸字形状をしていてもよい。
【００２６】
遮光部材２は、図５に示すように、その一端１０が、ＬＥＤ基板２０上のＬＥＤ４に対応する位置に配置され、その他端１１が、導光体３の端面８と前キャビネット５の端面１４との間に配置されている。導光体３と反射シート１９とを併せた厚みは、約４ｍｍである。
【００２７】
図７は導光板３に設けられた他の遮光部材２ａの構成を示すＹ軸方向に沿った断面図である。遮光部材２ａは、複数の導光体３を、その長手方向に垂直な方向に沿って跨ぐ断面長方形状の棒状の基部１２と、基部１２から突出して複数の導光体３の間の隙間に嵌まり込む断面凸字形状の凸部１３とを有している。この基部１２は、リフレクタ２１（図２）として構成することができる。
【００２８】
図８は他の遮光部材２ａの組み立て方法を示す斜視図であり、図９は遮光部材２ａの組み立て後の状態を示す斜視図である。図８および図９に示すように、互いに所定の隙間を開けて並行に配置された複数の導光体３の上から、隣り合う導光体３の隙間に凸部１３が嵌まり込むように遮光部材２ａを降ろして組み立てる。複数の隙間に１回の作業で遮光部材２ａの複数の凸部１３をはめ込むことができるので、組み立て効率に優れる。また、遮光部材２ａの凸部１３を導光体３の位置合わせにも利用できる。
【００２９】
なお、導光体３の一方の端面８からＬＥＤ４により光を入射させる例を示したが、本発明はこれに限定されない。導光体３の両方の端面にＬＥＤを設けて光を入射させるように構成してもよい。
【００３０】
また、導光体３における長手方向に直交する断面の両側の側端部７が、上記断面の中央部９よりも薄く形成されている例を示したが、本発明はこれに限定されない。導光体３における長手方向に直交する断面の少なくとも一方の側端部が、上記断面の他の側端部又は中央部よりも薄く形成されていればよい。
【００３１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００３２】
本発明は、長手方向に対して並列にそれぞれ隙間を有して設けられた複数の導光体と、導光体における長手方向の少なくとも一方の端面から光をそれぞれ入射させる複数の光源とを備えた光源モジュールに適用することができる。
【符号の説明】
【００３３】
１  光源モジュール
２、２ａ  遮光部材
３  導光体
４  ＬＥＤ（光源）
５  前キャビネット
７  側端部
８  端面
９  中央部
１０  一端
１１  他端
１２  基部
１３  凸部
１４  端面
１５  液晶表示装置（電子機器）
１６  シャーシ
１７  液晶パネル
１８  ベゼル
１９  反射シート
２０  ＬＥＤ基板
２１  リフレクタ
２２  拡散板
２３  光学シート群
２４  放熱板
２７  導光板
２８  隙間
【図１】
2011082036.tif 000003
【図２】
2011082036.tif 000004
【図３】
2011082036.tif 000005
【図４】
2011082036.tif 000006
【図５】
2011082036.tif 000007
【図６】
2011082036.tif 000008
【図７】
2011082036.tif 000009
【図８】
2011082036.tif 000010
【図９】
2011082036.tif 000011